(57)【要約】【課題】耐衝撃性の高いレンズ鏡筒および撮像装置を提供する。【解決手段】本発明のレンズ鏡筒１００は、カム溝１６１を備えるカム筒１６０と、可動レンズＬ１を保持すると共に前記カム溝１６１に嵌合するカムフォロア１８０を有し、前記カム筒１６０の回転によって前記可動レンズＬ１の光軸方向に移動操作される移動枠１７０と、を備えるレンズ鏡筒１００であって、前記カム筒１６０の内周面と外周面の少なくとも一方の面における前記カム溝１６１の周囲に、第一凹部１６２が設けられていること、を特徴とする。【選択図】図４
2014160120.tif 000002
【特許請求の範囲】
【請求項１】
カム溝を備えるカム筒と、
可動レンズを保持すると共に前記カム溝に嵌合するカムフォロアを有し、前記カム筒の回転によって前記可動レンズの光軸方向に移動操作される移動枠と、
を備えるレンズ鏡筒であって、
前記カム筒の内周面と外周面の少なくとも一方の面における前記カム溝の周囲に、第一凹部が設けられていること、
を特徴とするレンズ鏡筒。
【請求項２】
請求項１に記載のレンズ鏡筒であって、
前記カム筒における前記第一凹部が形成される箇所は、
前記カム筒の被写体側先端部であること、
を特徴とするレンズ鏡筒。
【請求項３】
請求項１または２に記載のレンズ鏡筒であって、
前記第一凹部は、前記カム筒における周方向に沿って溝状に形成されていること、
を特徴とするレンズ鏡筒。
【請求項４】
請求項１から３のいずれか１項に記載のレンズ鏡筒であって、
前記カム筒における前記第一凹部が形成される箇所は、前記カム溝と前記カムフォロアの移動操作される方向とが成す角が最も大きな箇所であること、
を特徴とするレンズ鏡筒。
【請求項５】
請求項１から４のいずれか１項に記載のレンズ鏡筒であって、
前記カム筒と径方向に隣接する筒部材における前記カム筒と隣接する周面に、第二凹部が設けられていること、
を特徴とするレンズ鏡筒。
【請求項６】
請求項１から５のいずれか１項に記載のレンズ鏡筒であって、
前記カムフォロアは、
前記レンズ保持枠内に固定されている固定部と、
前記レンズ保持枠から突き出している突出部と、
前記突出部の外周に挿入されている、摺動ローラ及び前記摺動ローラよりも硬く且つ小径の変形規制ローラと、
を備えること、
を特徴とするレンズ鏡筒。
【請求項７】
請求項１から６のいずれか１項に記載のレンズ鏡筒であって、
前記突出部は、
前記カムフォロアは、
前記レンズ保持枠内に固定されている固定部と、
前記レンズ保持枠から突き出すとともに、変形規制大径部及び小径部を有する突出部と、
前記小径部の外周には、前記大径部よりも大径の摺動ローラが挿入されていること、
を特徴とするレンズ鏡筒。
【請求項８】
請求項１から７のいずれか１項に記載のレンズ鏡筒を備える撮像装置。
【発明の詳細な説明】
【技術分野】
【０００１】
本発明は、レンズ鏡筒および撮像装置に関する。
【背景技術】
【０００２】
カメラ等の撮像装置に用いられるレンズ鏡筒では、結像光学系を構成する合焦レンズや変倍レンズ（以下、可動レンズと呼ぶ）を光軸方向に移動させて焦点位置や焦点距離を可変調節する。
可動レンズの移動操作には、カム機構が用いられる。カム機構は、光軸回りに回転可能なカム筒に光軸に対して所望の角度のカム溝を形成すると共に、可動レンズの保持部材に突設したカムフォロアをカム溝に摺動移動可能に嵌合させ、カム筒の回転操作によって可動レンズを移動させるものである（特許文献１参照）。
【先行技術文献】
【特許文献】
【０００３】
【特許文献１】特開２０１２−２７０６９号公報
【発明の概要】
【発明が解決しようとする課題】
【０００４】
カム機構を利用して可動レンズを移動操作するレンズ鏡筒では、落下等による可動レンズやその保持部材への衝撃力の作用によって、カムフォロアがカム溝のカム面に大きな力で圧接してカムフォロアやカム面に変形や破損を生じることがある。カムフォロアやカム面に変形や破損を生じると、カム筒が円滑に回転できなくなり、可動レンズの移動操作が困難となる。
【０００５】
本発明の課題は、耐衝撃性の高いレンズ鏡筒および撮像装置を提供することである。
【課題を解決するための手段】
【０００６】
本発明は、以下のような解決手段により前記課題を解決する。
請求項１に記載の発明は、カム溝を備えるカム筒と、可動レンズを保持すると共に前記カム溝に嵌合するカムフォロアを有し、前記カム筒の回転によって前記可動レンズの光軸方向に移動操作される移動枠と、を備えるレンズ鏡筒であって、前記カム筒の内周面と外周面の少なくとも一方の面における前記カム溝の周囲に、第一凹部が設けられていること、を特徴とするレンズ鏡筒である。
請求項２に記載の発明は、請求項１に記載のレンズ鏡筒であって、前記カム筒における前記第一凹部が形成される箇所は、前記カム筒の被写体側先端部であること、を特徴とするレンズ鏡筒である。
請求項３に記載の発明は、請求項１または２に記載のレンズ鏡筒であって、前記第一凹部は、前記カム筒における周方向に沿って溝状に形成されていること、を特徴とするレンズ鏡筒である。
請求項４に記載の発明は、請求項１から３のいずれか１項に記載のレンズ鏡筒であって、前記カム筒における前記第一凹部が形成される箇所は、前記カム溝と前記カムフォロアの移動操作される方向とが成す角が最も大きな箇所であること、を特徴とするレンズ鏡筒である。
請求項５に記載の発明は、請求項１から４のいずれか１項に記載のレンズ鏡筒であって、前記カム筒と径方向に隣接する筒部材における前記カム筒と隣接する周面に、第二凹部が設けられていること、を特徴とするレンズ鏡筒である。
請求項６に記載の発明は、請求項１から５のいずれか１項に記載のレンズ鏡筒であって、前記カムフォロアは、前記レンズ保持枠内に固定されている固定部と、前記レンズ保持枠から突き出している突出部と、前記突出部の外周に挿入されている、摺動ローラ及び前記摺動ローラよりも硬く且つ小径の変形規制ローラと、を備えること、を特徴とするレンズ鏡筒である。
請求項７に記載の発明は、請求項１から５のいずれか１項に記載のレンズ鏡筒であって、前記突出部は、前記カムフォロアは、前記レンズ保持枠内に固定されている固定部と、前記レンズ保持枠から突き出すとともに、大径部及び小径部を有する突出部と、前記小径部の外周には、前記大径部よりも大径の摺動ローラが挿入されていること、を特徴とするレンズ鏡筒である。
請求項８に記載の発明は、請求項１から７のいずれか１項に記載のレンズ鏡筒を備える撮像装置である。
【発明の効果】
【０００７】
本発明によれば、耐衝撃性の高いレンズ鏡筒および撮像装置を提供できる。
【図面の簡単な説明】
【０００８】
【図１】本発明の一実施形態であるレンズ鏡筒をカメラ本体に装着して構成されたカメラの概念図である。
【図２】レンズ鏡筒の断面図である。
【図３】図２のＡ部拡大図である。
【図４】レンズ群の移動機構部分の分解斜視図である。
【図５】外カム筒におけるカム溝の前面側端部を示す部分拡大図である。
【図６】第二凹部および第一凹部の作用を説明する当該部位に拡大断面図である。
【図７】第一凹部の異なる例を示す図５と対応する図である。
【図８】カムフォロアピンの拡大断面図である。
【図９】図８とは異なる構成のカムフォロアピンの拡大断面図である。
【図１０】カム溝の形状と第一凹部の配置部分との関係を説明する図である。
【発明を実施するための形態】
【０００９】
以下、図面等を参照して、本発明の一実施形態について説明する。
図１は、本発明の一実施形態であるレンズ鏡筒１００をカメラ本体１０に装着して構成されたカメラ１の概念図である。
なお、以下の各図には、説明と理解を容易にするために、ＸＹＺ直交座標系を設けた。この座標系では、撮影者が光軸ＯＡを水平として横長の画像を撮影する場合のカメラの位置（以下、正位置という）において撮影者から見て左側に向かう方向をＸプラス方向とし、正位置において上側に向かう方向をＹプラス方向とする。また、正位置において被写体に向かう方向をＺプラス方向とする。このＺプラス方向を前面側、Ｚマイナス方向を背面側とも呼称する。さらに、光軸ＯＡ（すなわちＺ軸）と平行な方向の移動を「直進」、光軸ＯＡを中心とする回動を「回転」と呼称する。
【００１０】
カメラ１は、カメラ本体１０と、レンズ鏡筒１００と、によって構成されている。レンズ鏡筒１００は、その基端部に備えるレンズマウントＬＭが、カメラ本体１０のボディマウントＢＭと係合することで、カメラ本体１０に着脱可能に装着されている。
カメラ本体１０は、光像を電気信号に変換する撮像素子１１を備え、この撮像素子１１による撮像データを画像処理して図示しない記録部に記録するいわゆるデジタル一眼レフカメラである。なお、本発明はデジタル一眼レフカメラに限定されるものではない。
【００１１】
つぎに、図１〜図４を参照して、レンズ鏡筒１００について詳細に説明する。
図２は、レンズ鏡筒１００の断面図であって、光軸ＯＡを挟んで上側が広角端、下側が望遠端を示している。
図３は、図２のＡ部拡大図である。
図４は、レンズ群Ｌ１の移動機構部分の分解斜視図である。
図５は、外カム筒１６０におけるカム溝１６１の前面側端部の部分拡大図である。
図６は、第二凹部１３２および第一凹部１６２の作用を説明する当該部位の拡大断面図である。
【００１２】
レンズ鏡筒１００は、５群のレンズ群Ｌ１，Ｌ２，Ｌ３，Ｌ４，Ｌ５を備え、焦点距離を変更可能ないわゆるズームレンズである。レンズ鏡筒１００は、レンズ群Ｌ１，Ｌ３，Ｌ５が光軸ＯＡ方向（Ｚ方向）に各々所定量移動することで焦点距離が連続的に変化する。
また、レンズ鏡筒１００は、合焦レンズ群であるレンズ群Ｌ３が光軸ＯＡ方向に移動することで合焦距離（ピント位置）が変化する。
レンズ群Ｌ２，Ｌ４は、移動しない固定レンズ群である。
【００１３】
レンズ鏡筒１００は、外観筒１１０の内部に、基端側から順に内固定筒１２０と外固定筒１３０とが固定されており、これらが当該レンズ鏡筒１００の骨格を構成している。
外観筒１１０の外周には、ズーム操作環１１１と、フォーカス環１１２とが、それぞれ回転可能に設けられている。
ズーム操作環１１１は、連動ピン１１３を介して後述する外カム筒１６０および内カム筒１４０と連繋しており、その回転によって外カム筒１６０および内カム筒１４０を回転操作可能となっている。また、フォーカス環１１２は、連動キー１１４を介して内カム筒１４０と連繋しており、その回転によって内カム筒１４０を回転操作可能となっている。
【００１４】
内固定筒１２０は、図示しないが、第３レンズ群Ｌ３の移動を案内する光軸ＯＡと平行な直進溝を備えている。
内固定筒１２０の内周側には、内カム筒１４０が回転可能に配設され、この内カム筒１４０の内部に、第３レンズ群Ｌ３と第４レンズ群とが配設されている。
内カム筒１４０には、第３レンズ群Ｌ３を移動操作するカム溝１４１が、光軸ＯＡ方向に対して所定の角度を有して形成されている。
【００１５】
レンズ群Ｌ３は第３レンズ枠１５０に保持されており、この第３レンズ枠１５０の外周に突設されたカムピン１５１が、内カム筒１４０のカム溝１４１に摺動移動可能に貫通して外周側に突出し、先端が内固定筒１２０の直進溝に摺動移動可能に嵌合している。
これにより、ズーム操作環１１１またはフォーカス環１１２の操作によって内カム筒１４０が回転すると、カム溝１４１がカムピン１５１を操作し、第３レンズ群Ｌ３がカム溝１４１の変位に応じて光軸ＯＡ方向に移動するようになっている。
【００１６】
外固定筒１３０は、外周面に第１レンズ群Ｌ１の移動を案内する直進溝１３１（図４に示す）を備え、内周側にレンズ群Ｌ２を支持している。
直進溝１３１は、所定幅で所定深さの溝状であって、光軸ＯＡと平行に形成されている。直進溝１３１は、後述する移動枠１７０のカムフォロアピン１８０と対応しており、本実施形態では周方向に６条設けられている。
また、外固定筒１３０の前面端部近傍の外周部位には、第二凹部１３２が形成されている。この第二凹部１３２については、後に詳述する。
なお、本実施形態では、外固定筒１３０は金属によって形成されているものである。
【００１７】
外固定筒１３０の外周側には、外カム筒１６０が相対回転可能且つ光軸ＯＡ方向には相対移動不能に設けられている。
外カム筒１６０は、金属によって円筒状に形成された部材であって、レンズ群Ｌ１を移動操作するカム溝１６１を備えている。
【００１８】
カム溝１６１は、所定幅で外カム筒１６０の内外を貫通し、光軸ＯＡ方向に対して所定の角度を有する所定形状に形成されている。
なお、カム溝１６１の前面側端部の、レンズ群Ｌ１の位置設定の関係から光軸ＯＡと略直交する角度に湾曲したような形状は、加工時に必然的に形成されるものである。
カム溝１６１は、後述する移動枠１７０のカムフォロアピン１８０と対応して本実施形態では周方向に６条設けられている。
【００１９】
また、外カム筒１６０の、カム溝１６１の前面側には、第一凹部１６２が形成されている。この第一凹部１６２については、後に詳述する。
外カム筒１６０の外周側には、レンズ群Ｌ１を保持する移動枠１７０が光軸ＯＡ方向に移動可能に設けられている。
【００２０】
移動枠１７０は、先端にレンズ群Ｌ１を保持する円筒状の部材であって、外カム筒１６０の外周と外観筒１１０の内周との間に配設されている。
移動枠１７０の基端側（背面側）の内周には、カムフォロアピン１８０が突設されている。
【００２１】
カムフォロアピン１８０は、外カム筒１６０のカム溝１６１を摺動移動可能に貫通し、先端が外固定筒１３０の直進溝１３１に摺動移動可能に嵌合している。カムフォロアピン１８０は、周方向に６本設けられている。
【００２２】
これにより、ズーム操作環１１１の操作によって外カム筒１６０が回転すると、そのカム溝１６１が移動枠１７０のカムフォロアピン１８０を操作し、移動枠１７０はカム溝１６１の変位に応じて光軸ＯＡ方向に移動するようになっている。
なお、カムフォロアピン１８０は、耐衝撃構造を備えているが、これについては後に詳述する。
【００２３】
そして、上記のように構成されたレンズ鏡筒１００は、使用者によるズーム操作環１１１の回転操作によって外カム筒１６０および内カム筒１４０が回転して、レンズ群Ｌ１，Ｌ３，Ｌ５が光軸ＯＡ方向に各々所定量移動し、図２の上側に示す広角端から下側に示す望遠端の間で焦点距離が連続的に変化する。また、フォーカス環１１２の回転操作によって、内カム筒１４０が回転して、レンズ群Ｌ３が光軸ＯＡ方向に所定量移動し、合焦距離（ピント位置）が変化する。
【００２４】
ここで、図２に示すように、望遠端では、レンズ群Ｌ１，Ｌ３，Ｌ５がそれぞれ前面側に移動しており、最も前面側に位置するレンズ群Ｌ１は、外観筒１１０の前面側端部より大きく突出する。
この状態で、移動枠１７０に設けられたカムフォロアピン１８０は、外カム筒１６０のカム溝１６１および外固定筒１３０の直進溝１３１の前面側端に嵌合している。
つまり、カムフォロアピン１８０は、図５に２点鎖線で示すように、カム溝１６１の前面側の部位に位置している。
【００２５】
上記のような望遠端において、カメラ１を誤って落下させる等によって突出している移動枠１７０に対して背面側に向かう衝撃力が作用すると、カムフォロアピン１８０は、図５中に矢印で示す方向の力で、外カム筒１６０のカム溝１６１の前面側端部における背面側のカム面１６１ａに強く圧接し、当該カム面１６１ａを外周側または内周側に盛り上げるように変形させてしまうことがある。
このような変形が生ずると、その変形部（盛り上がり）が外カム筒１６０の外周側に隣接して位置する外固定筒１３０や外カム筒１６０の内周側に隣接して位置する外固定筒１３０と干渉し、その結果、外カム筒１６０の回転が困難となる回転障害を招く。
【００２６】
本実施形態によると、外固定筒１３０に形成された第二凹部１３２および外カム筒１６０に形成された第一凹部１６２が、変形吸収部として作用し、カム溝１６１の変形による外カム筒１６０の回転障害を防ぐように機能する。
【００２７】
以下、この第一凹部１６２と第二凹部１３２とについて説明する。
外カム筒１６０の第一凹部１６２は、外カム筒１６０の外周面に周方向に連続する所定幅で所定深さの溝状形成されている。
【００２８】
上記のように形成された第一凹部１６２は、図６に二点鎖線で示すように、カム溝１６１のカム面１６１ａがカムフォロアピン１８０によって強い力で押圧されて外周側に盛り上がりＸを形成しても、移動枠１７０の内周面から逃げているために変形が吸収され、外カム筒１６０と移動枠１７０との干渉を回避できる。これにより、カム溝１６１のカム面１６１ａの変形による外カム筒１６０の回転障害を防ぐことができる。
【００２９】
また、外固定筒１３０の第二凹部１３２は、外固定筒１３０の外周面に周方向に連続する所定幅で所定深さの溝状に形成されている。第二凹部１３２のＺ軸方向における位置は、外カム筒１６０の第一凹部１６２と対応している。
【００３０】
上記のように形成された第二凹部１３２は、図６中に２点鎖線で示すように、外カム筒１６０のカム溝１６１のカム面１６１ａがカムフォロアピン１８０によって強い力で押圧されて内周側に盛り上がりＹを形成しても、外カム筒１６０の内周から逃げているために変形が吸収され、外カム筒１６０と外固定筒１３０との干渉を回避できる。これにより、カム溝１６１のカム面１６１ａの変形による回転障害を防ぐことができる。
【００３１】
なお、外カム筒１６０の第一凹部１６２および外固定筒１３０の第二凹部１３２は、必ずしも周方向に連続する溝状でなくても良い。例えば、図７に前述の図５と対応する図を示すように、カム溝１６１の前面側端部と対応する周辺部位のみの大きさの凹部１６３としても良い。
上記実施形態は、外カム筒１６０および外固定筒１３０を金属材料の機械加工によって製造する設定であるために加工性の観点（旋盤等による加工が容易）から周方向に連続させたものである。
外カム筒１６０および外固定筒１３０を射出成形によって製造する場合には、図７に示すように必要部位のみの大きさの凹部１６３とすれば、製造が容易となると共に連続する溝を形成することによる機械的強度の低下を抑制できる。
【００３２】
また、上記実施形態は、外カム筒１６０のカム溝１６１のカム面１６１ａの内周側への変形による外固定筒１３０との干渉を避けるために、外固定筒１３０の外周に第二凹部１３２を形成している。これは外カム筒１６０の肉厚が過剰に薄くなるのを避けるためであって、外カム筒１６０の厚さを確保できれば、その内周側に凹部を形成しても良い。
【００３３】
つぎに、図８および図９を参照して、移動枠１７０に設けられたカムフォロアピン１８０の耐衝撃構造について説明する。
図８は、カムフォロアピン１８０の拡大断面図である。図９は、図８とは異なる構成のカムフォロアピン１８０’の拡大断面図である。
【００３４】
図８に示すカムフォロアピン１８０は、軸部１８２及び外枠部１８１からなる本体部１９０と、カム溝摺動ローラ１８３と、変形規制ローラ１８４と、直進溝摺動ローラ１８５と、により構成されている。
本体部１９０は、移動枠１７０に取り付けられる固定部１９０Ａと、移動枠１７０から突出した突出部１９０Ｂとを有する。
【００３５】
外枠部１８１は、小径の円筒状の支持軸部１８１ａと、その上端に設けられた大径のフランジ１８１ｂとを備えている。支持軸部１８１ａの内径側には内径ネジ部１８１ｃが形成されている。また、支持軸部１８１ａの外径側には、外径ネジ部１８１ｄが形成されている。
【００３６】
軸部１８２は、ネジ部１８２ｂと、その基端に設けられた大径薄肉の頭部１８２ａとを備えている。この頭部１８２ａは、移動枠１７０の外周面に形成された収容凹部１７２に収容されて外周面より外側には突出しないようになっている。
【００３７】
外枠部１８１のフランジ１８１ｂは、移動枠１７０の内周面に形成された支持凹部１７１に嵌入されている。
外枠部１８１は、移動枠１７０の外周面側から当該移動枠１７０を貫通し、ネジ部１８２ｂと内径ネジ部１８１ｃとが螺合する。これにより、軸部１８２と外枠部１８１とが移動枠１７０に装着される。
【００３８】
カム溝摺動ローラ１８３、変形規制ローラ１８４、および直進溝摺動ローラ１８５は、外枠部１８１の軸部１８１ａ、すなわち突出部１９０Ｂの外周に嵌挿されている。
直進溝摺動ローラ１８５の内径側には、ネジ部１８５ａが設けられ、このネジ部１８５ａと外枠部１８１の外径ネジ部１８１ｄとが螺合することで、カム溝摺動ローラ１８３、変形規制ローラ１８４、および直進溝摺動ローラ１８５が、外枠部１８１に固定される。
【００３９】
カム溝摺動ローラ１８３は、外カム筒１６０のカム溝１６１に摺動移動可能に嵌合する径で、軸方向における厚さは外カム筒１６０の厚さより所定量薄く設定されている。このカム溝摺動ローラ１８３は、ポリアセタール樹脂やフッ素樹脂等の自己潤滑性および耐摩耗性の高い高機能樹脂によって形成されている。
【００４０】
変形規制ローラ１８４は、カム溝摺動ローラ１８３より高剛性の金属によって形成され、外径はカム溝摺動ローラ１８３より所定量小さく（半径でΔｄ）、軸方向における厚さは、カム溝摺動ローラ１８３と合算すると外カム筒１６０（カム溝１６１）の厚さより僅かに大きく設定されている。これにより、変形規制ローラ１８４は、ほぼ全体が外カム筒１６０のカム溝１６１内に位置するようになっている。
【００４１】
直進溝摺動ローラ１８５は、カム溝摺動ローラ１８３と同様に高機能樹脂によって形成されている。直進溝摺動ローラ１８５の径は、外固定筒１３０の直進溝１３１（図４に示す）に摺動移動可能に嵌合するように設定されている。
なお、カム溝摺動ローラ１８３および直進溝摺動ローラ１８５は、径の異なるものが複数用意され、組立時において対応する外カム筒１６０のカム溝１６１および外固定筒１３０の直進溝１３１の仕上がり寸法との関係において適当な嵌合公差となるものが用いられる。
【００４２】
上記のように構成されたカムフォロアピン１８０は、カム溝摺動ローラ１８３が外カム筒１６０のカム溝１６１内を摺動移動し、直進溝摺動ローラ１８５が外固定筒１３０の直進溝１３１（図４に示す）内を摺動移動する。
変形規制ローラ１８４は、カム溝１６１内に位置するがカム溝摺動ローラ１８３より小径であるため通常時にはカム溝１６１のカム面１６１ａに当接しない。
このように、通常時には高機能樹脂によって形成されたカム溝摺動ローラ１８３および直進溝摺動ローラ１８５が、金属によって形成されたカム溝１６１および直進溝１３１の内部を摺動移動する構成であるため、摩擦が少なく摩耗や摩耗屑の発生を抑えられる。
【００４３】
ここで、レンズ鏡筒１００が望遠端の状態において、カメラ１を誤って落下させる等によって突出している移動枠１７０に背面側に向かう衝撃力が作用すると、カム溝摺動ローラ１８３が外カム筒１６０のカム溝１６１のカム面１６１ａに強い力で圧接する(図５参照)。
【００４４】
その結果、樹脂製のカム溝摺動ローラ１８３は変形するが、その変形量が所定量（Δｄ）を超えると変形規制ローラ１８４がカム溝１６１のカム面１６１ａに当接し、カム溝摺動ローラ１８３のそれ以上の変形を規制する(図８参照)。
これにより、カム溝摺動ローラ１８３の過大な変形による破損を防ぐことができ、カム溝摺動ローラ１８３の過大な変形や破損による外カム筒１６０の回転障害の発生を抑制できる。
【００４５】
図９は、前述したカムフォロアピン１８０と異なる構成のカムフォロアピン１８０’を示す。なお、図９に示すカムフォロアピン１８０’の基本的な構成は図８のカムフォロアピン１８０と同様であるため、同機能の構成要素には同符号を付して説明は省略する。
【００４６】
カムフォロアピン１８０’は、外枠部１８１に、変形規制ローラ１８４と同様に機能する変形規制部１８１ｅを一体に備えたものである。
変形規制部１８１ｅは、軸部１８１ａとフランジ１８１ｂの間に、所定厚さ（軸方向の長さ）として形成されている。
変形規制部１８１ｅの径は、変形規制ローラ１８４と同様に、カム溝摺動ローラ１８３より所定量小さく設定されている。また、変形規制部１８１ｅの厚さは、カム溝摺動ローラ１８３が必要十分な厚さを確保できるように設定される。図９では、変形規制ローラ１８４を同時に備えているが、この変形規制ローラ１８４は省いても良い。
【００４７】
このような構成のカムフォロアピン１８０’は、変形規制部１８１ｅがカム溝摺動ローラ１８３の過大な変形・破損を防ぎ、それによる外カム筒１６０の回転障害の発生を抑制できる。
また、変形規制ローラ１８４を省くことが可能であって、そうすることにより部品点数の削減によって製造コストを低減できる。 
【００４８】
以上、本実施形態によると、以下の効果を有する。
（１）本実施形態によれば、外カム筒１６０におけるカム溝１６１の前面側端部と対応する外周部位に形成された第一凹部１６２と、この第一凹部１６２と対応する外固定筒１３０の外周部位に形成された第二凹部１３２とが、外カム筒１６０におけるカム溝１６１のカム面１６１ａの変形に対する逃げとなる。
これにより、衝撃力の作用によってカムフォロアピン１８０が外カム筒１６０におけるカム溝１６１のカム面１６１ａを変形させた場合でも、その変形部の外カム筒１６０との干渉を回避して、外カム筒１６０の回転障害を防ぐことができる。その結果、高い耐衝撃性を備えるレンズ鏡筒とすることができる。
【００４９】
（２）本実施形態のカムフォロアピン１８０，１８０’は、外カム筒１６０のカム溝１６１に摺動移動可能に嵌合するカム溝摺動ローラ１８３に対して所定量小径の変形規制ローラ１８４や変形規制部１８１ｅを備えている。変形規制ローラ１８４および変形規制部１８１ｅは、衝撃力の作用によってカム溝摺動ローラ１８３が外カム筒１６０のカム溝１６１のカム面１６１ａに圧接した場合でも、その所定量以上の変形を防ぐ。
これにより、過大な変形によるカム溝摺動ローラ１８３の破損を回避して、外カム筒１６０の回転障害を防ぐことができる。その結果、高い耐衝撃性を備えるレンズ鏡筒とすることができる。
【００５０】
（変形形態）
以上、説明した実施形態に限定されることなく、以下に示すような種々の変形や変更が可能であり、それらも本発明の範囲内である。
（１）本実施形態は、本発明を外カム筒１６０のカム溝１６１の前面側端部（フック状の部分）と対応する部位に凹部（第一凹部１６２および第二凹部１３２）を設けたものである。
しかし、凹部を設ける部位は、カム溝の端部に限定されるものではなく、衝撃力の作用によってカムフォロアがカム面に圧接されるカム溝形状の部位を対象とする。
【００５１】
衝撃力の作用によってカムフォロアがカム面に圧接されるカム溝形状の部位とは、たとえば、広角端において移動枠１７０に対して背面側に向かう衝撃力が作用した場合にカムフォロアピン１８０が当接するカム溝１６１の背面側端部と対応する部位も対象となり得、ここに凹部を設けても良い。
【００５２】
また、図１０（ａ）に概念的に示すように、カムフォロアピン１８０がカム溝１６１によって直進溝１３１に沿って移動する構成において、カム溝１６１が途中で屈曲してカム溝１６１とカムフォロアピン１８０の移動操作される方向（光軸ＯＡ方向すなわちＺ軸方向と一致）とが成す角θが変化しているとする。
【００５３】
このような構成では、図中矢印で示すように、カムフォロアピン１８０に対してカム溝１６１における小さな角度（θ１）側から大きな角度（θ２）側に向かう方向の衝撃力が作用すると、カムフォロアピン１８０はその前方側のカム面１６１ａに圧接する。
【００５４】
このような場合には、このカム溝１６１の角度が小さな角度から大きな角度に変化する方向におけるカム溝１６１の屈曲部位１６１ｂの外角側であるカム面１６１ａの近傍（図中ハッチングを施した領域）を対象部位として、ここを含むように凹部を設ければ良い。
【００５５】
さらに、図１０（ａ）に概念的に示すように、カム溝１６１が複数回屈曲しており、カム溝１６１とカムフォロアピン１８０の移動操作される方向（光軸ＯＡ方向すなわちＺ軸方向と一致）とが成す角（θ）が異なる（θ３〜θ５）領域が複数存在する場合には、最も大きな角度（θ４）の領域のカムフォロアピン１８０が圧接される側のカム面１６１ａの近傍（図中ハッチングを施した領域）を対象部位として、ここを含むように凹部を設ければ良い。
【００５６】
（２）上記実施形態は、本発明を変倍操作するカム機構部分に適用したものであるが、合焦レンズを移動操作するカム機構部分等、他の構成要素を移動操作する部位に適用しても良い。
なお、実施形態及び変形形態は、適宜組み合わせて用いることもできるが、詳細な説明は省略する。また、本発明は以上説明した実施形態によって限定されることはない。
【符号の説明】
【００５７】
１：カメラ、１０：カメラ本体、１００：レンズ鏡筒、１３０：外固定筒、１３１：直進溝、１３２：第一凹部、１６０：外カム筒、１６１：カム溝、１６１ａ：カム面、１６１ｂ：屈曲部位、１６２：第２凹部、１６３：凹部、１７０：移動枠、１７１：支持凹部、１７２：収容凹部、１８０：カムフォロアピン、１８３：カム溝摺動ローラ、１８４：変形規制ローラ、１８５：直進溝摺動ローラ、１９０Ｂ：突出部
【図１】
2014160120.tif 000003
【図２】
2014160120.tif 000004
【図３】
2014160120.tif 000005
【図４】
2014160120.tif 000006
【図５】
2014160120.tif 000007
【図６】
2014160120.tif 000008
【図７】
2014160120.tif 000009
【図８】
2014160120.tif 000010
【図９】
2014160120.tif 000011
【図１０】
2014160120.tif 000012